(57)【要約】【課題】音声ガイダンス機能を有するコピー機を使用したとしても、視覚障害者にとって、間違った文書や頁が欠落した文書を無駄にコピーする問題は解決しない。【解決手段】原稿画像を読み取り（Ｓ２０２）、読み取った原稿画像の文字列を認識し、認識された文字列から原稿の内容を表す文字列を選択し（Ｓ２０３）、選択された文字列を音声に変換し（Ｓ２０５）、合成音声を出力する（Ｓ２０６）。【選択図】　　図２
2004070523.tif 000002
【特許請求の範囲】
【請求項１】
原稿画像を読み取る読取手段と、
読み取った原稿画像の文字列を認識する認識手段と、
認識された文字列から原稿の内容を表す文字列を選択する選択手段と、
選択された文字列を音声に変換して出力する音声合成手段とを有することを特徴とする情報処理装置。
【請求項２】
前記選択手段は、認識された文字列、その文字列の原稿画像上の位置、文字の大きさ、色および縦書き横書きの区別から、前記原稿の内容を表す文字列を選択することを特徴とする請求項１に記載された情報処理装置。
【請求項３】
前記選択手段は、前記原稿の各頁のタイトルを選択することを特徴とする請求項１または請求項２に記載された情報処理装置。
【請求項４】
原稿画像を読み取る読取手段と、
読み取った原稿画像の文字列を認識する認識手段と、
認識された文字列から原稿の頁を表す文字列を抽出する抽出手段と、
抽出された文字列に基づき、原稿の頁順および／または頁の欠落を判定する判定手段と、
その判定結果を表す音声を出力する音声合成手段とを有することを特徴とする情報処理装置。
【請求項５】
原稿画像を読み取る読取手段と、
読み取った原稿画像の文字列を認識する認識手段と、
一枚目の原稿から認識された文字列から原稿の枚数を表す文字列を抽出する抽出手段と、
前記原稿の枚数をカウントするカウンタと、
抽出された文字列および前記カウンタのカウント値を比較する比較手段と、
その比較結果を表す音声を出力する音声合成手段とを有することを特徴とする情報処理装置。
【請求項６】
原稿画像を読み取り、
読み取った原稿画像の文字列を認識し、
認識された文字列から原稿の内容を表す文字列を選択し、
選択された文字列を音声に変換して出力することを特徴とする情報処理方法。
【請求項７】
原稿画像を読み取り、
読み取った原稿画像の文字列を認識し、
認識された文字列から原稿の頁を表す文字列を抽出し、
抽出された文字列に基づき、原稿の頁順および／または頁の欠落を判定し、
その判定結果を表す音声を出力することを特徴とする情報処理方法。
【請求項８】
原稿画像を読み取り、
読み取った原稿画像の文字列を認識し、
一枚目の原稿から認識された文字列から原稿の枚数を表す文字列を抽出し、
前記原稿の枚数をカウントし、
抽出された文字列および前記カウントの値を比較し、
その比較結果を表す音声を出力することを特徴とする情報処理方法。
【請求項９】
画像処理装置を制御して、請求項６から請求項８の何れかに記載された画像処理を実行することを特徴とするプログラム。
【請求項１０】
請求項９に記載されたプログラムが記録されたことを特徴とする記録媒体。
【発明の詳細な説明】
【０００１】
【発明の属する技術分野】
本発明は情報処理装置およびその方法に関し、例えば、原稿の内容を表す情報、原稿の頁数または枚数を示す情報を音声出力する情報処理に関する。
【０００２】
【従来の技術】
近年、障害者の社会進出を支援・促進する活動が盛んになっている。米国では、２００１年にリハビリテーション法５０８条が施行され、また、今後ヨーロッパや日本でも同様の法整備が進められていくと考えられる。しかしながら、実際には、障害者がオフィスで快適に働ける環境が整ったとは言い難いのが実状であろう。例えば、視覚障害者がオフィスにおいてコピー機やファクシミリ装置などのオフィス機器を利用する場合を考えると、多くの解決すべき問題がある。
【０００３】
視覚障害者のオフィス機器利用をサポートする技術として、特開平７−３０２０１７号公報に開示された音声ガイダンスがある。また、コピー機の状態を知る手段として、特開平１０−１６７５２３号公報に開示された音声通知がある。これらの技術は何れも、予め録音された音声を機器内に保持して、ユーザの操作や内部の状態に応じて保持する音声を再生するものである。
【０００４】
また、ファクシミリ装置にも着信を音声で知らせるものがある。例えば特開平８−０７０３７８号公報に記載されたファクシミリ装置は、受信したファクシミリデータから、そのファクシミリ文書の宛先を文字認識し、そのファクシミリ文書を受け取るべき個人名を特定し、予め用意されたメッセージを音声合成し、内線電話により、その受取人にファクシミリ文書の着信を知らせる。さらに、特開２０００−１０７５５公報には、受信したファクシミリ文書の内容を、文字認識し、音声合成による音声に変換して読み上げる技術が開示されている。
【０００５】
【発明が解決しようとする課題】
印刷された文章の内容を確認することなくコピー機やファクシミリ装置を利用すれば、誤りがある文書や、コピーまたは送信すべき文書以外の文書をコピーしたりファクシミリ送信することもあり、無駄なコピーをしたり、送信先に迷惑を掛けることも有り得る。さらに、紙資源の無駄という観点に立てば、大量のコピーを終えた後に頁の欠落やコピー間違いに気付くこともある。
【０００６】
視覚障害者にとって、この問題は、上述した音声ガイダンス、音声通知機能および着信通知機能が揃ったとしても解決することはできない。
【０００７】
本発明は、上述の問題を個々にまたはまとめて解決するためのもので、原稿の内容を表す情報を音声出力することを目的とする。
【０００８】
また、原稿の頁数または枚数を示す情報を音声出力することを他の目的とする。
【０００９】
【課題を解決するための手段】
本発明は、前記の目的を達成する一手段として、以下の構成を備える。
【００１０】
本発明にかかる情報処理装置は、原稿画像を読み取る読取手段と、読み取った原稿画像の文字列を認識する認識手段と、認識された文字列から原稿の内容を表す文字列を選択する選択手段と、選択された文字列を音声に変換して出力する音声合成手段とを有することを特徴とする。
【００１１】
また、原稿画像を読み取る読取手段と、読み取った原稿画像の文字列を認識する認識手段と、認識された文字列から原稿の頁を表す文字列を抽出する抽出手段と、抽出された文字列に基づき、原稿の頁順および／または頁の欠落を判定する判定手段と、その判定結果を表す音声を出力する音声合成手段とを有することを特徴とする。
【００１２】
また、原稿画像を読み取る読取手段と、読み取った原稿画像の文字列を認識する認識手段と、一枚目の原稿から認識された文字列から原稿の枚数を表す文字列を抽出する抽出手段と、前記原稿の枚数をカウントするカウンタと、抽出された文字列および前記カウンタのカウント値を比較する比較手段と、その比較結果を表す音声を出力する音声合成手段とを有することを特徴とする。
【００１３】
本発明にかかる情報処理方法は、原稿画像を読み取り、読み取った原稿画像の文字列を認識し、認識された文字列から原稿の内容を表す文字列を選択し、選択された文字列を音声に変換して出力することを特徴とする。
【００１４】
また、原稿画像を読み取り、読み取った原稿画像の文字列を認識し、認識された文字列から原稿の頁を表す文字列を抽出し、抽出された文字列に基づき、原稿の頁順および／または頁の欠落を判定し、その判定結果を表す音声を出力することを特徴とする。
【００１５】
また、原稿画像を読み取り、読み取った原稿画像の文字列を認識し、一枚目の原稿から認識された文字列から原稿の枚数を表す文字列を抽出し、前記原稿の枚数をカウントし、抽出された文字列および前記カウントの値を比較し、その比較結果を表す音声を出力することを特徴とする。
【００１６】
【発明の実施の形態】
以下、本発明にかかる実施形態の情報処理装置を図面を参照して詳細に説明する。
【００１７】
【第１実施形態】
図１は実施形態のスキャン内容を通知する情報処理装置の構成例を示すブロック図である。なお、第１実施形態では、実施形態の情報処理装置がコピー機に実装された場合を説明するが、コピー機とは別体に用意することもできる。
【００１８】
入力処理部１０９によって入力される、コピーの実行やコピー枚数などのユーザ指示に従い、フィーダ１０１はスキャナ１０２へ原稿を一枚ずつフィードし、スキャナ１０２はフィードされた原稿の画像を読み込み、コピー処理部１０８は読み込まれた画像データに基づき原稿をコピーする。これらは通常のコピー機と同様の構成である。
【００１９】
一方、ＯＣＲ処理部１０３はスキャナ１０２が読み込んだ画像データから文字を認識し、文字列情報保持部１０４はＯＣＲ処理部１０３によって認識された文字列情報および関連情報を保持し、文字列選択部１０５は文字列情報保持部１０４に保持された文字列情報から読み上げるべき文字列を選択し、音声合成部１０６は文字列選択部１０５によって選択された文字列を音声に変換し、音声出力部１０７は音声合成部１０６によって生成された合成音声を出力する。これらの構成は、実施形態の情報処理装置に特有の構成である。
【００２０】
なお、文字列情報保持部１０４は例えばＲＡＭなどの半導体メモリで構成され、音声出力部１０７は音声信号用のアンプおよびスピーカなどから構成される。また、文字列情報保持部１０４および音声出力部１０７を除く情報処理装置の構成は、専用のＬＳＩ、または、ＲＡＭをワークメモリとしてＲＯＭなどに格納されたプログラムを実行するＣＰＵによって実現される。
【００２１】
図２は情報処理装置が実行するスキャン内容の通知処理の一例を示すフローチャートで、例えば、フィーダ１０１によって原稿のフィードが開始されると実行される処理である。
【００２２】
フィーダ１０１から得られる未フィードの原稿があるか否かを示す情報に基づき、読み取るべき原稿が存在するか否かを判定する（Ｓ２０１）。読み取るべき原稿が存在しなければ処理を終了するが、読み取るべき原稿が存在すれば、スキャナ１０２から次の原稿の画像データが入力されるのを待つ（Ｓ２０２）。
【００２３】
スキャナ１０２から次の原稿の画像データが入力されると、ＯＣＲ処理部１０３は、画像データから文字列を認識しかつ抽出して、抽出した文字列を画像データに対応付けて文字列情報保持部１０４に格納する（Ｓ２０３）。なお、文字列情報保持部１０４に格納される情報には、抽出された文字列、並びに、その文字列の原稿画像上の位置、文字サイズ、色および横書き縦書きなどの文字の向きがある。
【００２４】
次に、文字列選択部１０５は、抽出されて文字列情報保持部１０４に保持された情報に基づき、原稿の内容を示すだろう文字列を特定する（Ｓ２０４）。例えば、文書のタイトルを特定する場合を想定すれば、文字列情報保持部１０４に保持された文字列の中で、文字サイズが大きく（所定サイズ以上）、かつ、その位置が原稿画像の特定の場所（例えば原稿の中央近傍や、上部の中央付近）にある文字列を文書のタイトルに特定する。
【００２５】
次に、音声合成部１０６は、文字列選択部１０５によって特定された文字列を音声に変換し（Ｓ２０５）、合成された音声が音声出力部１０７により出力される（Ｓ２０６）。この音声出力を聞いたユーザは、コピーを実行するか否かを決定し、その決定を入力処理部１０９を介して入力する。コピーの実行が指示されると（Ｓ２０７）、コピー機に対応する原稿画像のコピーを実行させ（Ｓ２０８）、その後、処理をステップ２０１へ戻す。一方、コピーの非実行が指示されると（Ｓ２０７）、コピー機に対応する原稿画像のコピーを実行させずに、処理をステップ２０１へ戻す。
【００２６】
図３および図４はタイトルの読み上げを説明する図で、図３は複数枚の原稿の各頁の左下に頁番号が、頁の上部にタイトルがある一般的な原稿（書類）例を示す。また、図４（ａ）は文字列選択部１０５の選択結果を、図４（ｂ）は音声合成部１０６の読み上げ例を示している。
【００２７】
つまり、各頁からタイトルと認識される文字列を選択して、下記の形態でタイトルが読み上げられる。
「（頁番号）枚目は（選択文字列）です」
（例）「二枚目は目次です」
【００２８】
このように、原稿画像を読み取った画像データから文字を認識し、認識された文字列から原稿の内容を特定可能な文字列を選択し、選択した文字列を音声合成によって読み上げることにより、ユーザは、コピーの実行に先立ち、原稿の内容を容易に確認することができる。
【００２９】
勿論、読み上げる文字列はタイトルに限定されず、原稿の全文を読み上げてもよいし、各頁の開始部分の数行または一部を読み上げてもよい。この場合、文字列選択部１０５は、横書き縦書きの別など、文字列情報保持部１０４に保持された情報を利用して、最初の一行または数行（タイトルを除いても含めてもよい）を選択する。
【００３０】
また、頁番号だけを読み上げても、頁の過不足を確認することができる。この場合、文字列選択部１０５は、位置情報、文字サイズ情報、文字列の種類（数字か否か）など、文字列情報保持部１０４に保持された情報を利用して、原稿画像の端部に位置する数字を選択する。
【００３１】
図５は頁番号を読み上げる場合の文字列の選択結果および読み上げ例を示す図である。
【００３２】
また、上記では、原稿ごとにコピーするか否かをユーザに確認する例を説明したが、原稿を一枚ずつプレスキャンして特定部分を読み上げ、すべての原稿に対するプレスキャンおよび読み上げが終了した後、すべての原稿をコピーするか否かをユーザに確認してもよい。図６は、この手順を示すフローチャートで、図２に示した手順との違いは、ステップＳ２０６で合成音声を出力した後、ステップＳ２０１に戻り、ステップＳ２０１で読み取るべき原稿がなくなったと判定された後、ステップＳ２０７へ移ってコピーを実行するか否かを判定する点である。
【００３３】
【第２実施形態】
以下、本発明にかかる第２実施形態の情報処理装置を説明する。なお、第２実施形態において、第１実施形態と略同様の構成については、同一符号を付して、その詳細説明を省略する。
【００３４】
上記では、原稿の内容を一枚ずつ読み上げる例を説明したが、原稿の不具合を指摘する方法もある。原稿の不具合には例えば頁の欠落などが挙げられる。原稿の各頁に頁番号が付加されている場合、その頁番号を抽出し、頁番号が順に並んでいない、頁番号に抜けがあるなどを検知し、例えば「四頁と五頁の順番が逆です」「六頁が抜けています」などのメッセージを合成音声を利用してユーザに伝える。
【００３５】
図７はスキャン内容を通知する情報処理装置の構成例を示すブロック図で、図１に示す構成に比べて、頁番号保持部１１０および欠落判定部１１１が追加されている。
【００３６】
頁番号保持部１１０は、スキャナ１０２が読み取った原稿画像からＯＣＲ処理部１０３が抽出する頁番号を順次記憶する。欠落判定部１１１は、頁番号保持部１１０に記憶された頁番号列から頁順の不具合や頁の抜けを検出する。なお、頁番号保持部１１０は例えばＲＡＭなどの半導体メモリで構成され、欠落判定部１１１は、専用のＬＳＩ、または、ＲＡＭをワークメモリとしてＲＯＭなどに格納されたプログラムを実行するＣＰＵによって実現される。
【００３７】
図８は情報処理装置が実行するスキャン内容の通知処理の一例を示すフローチャートで、例えば、フィーダ１０１によって原稿のフィードが開始されると実行される処理である。
【００３８】
フィーダ１０１から得られる未フィードの原稿があるか否かを示す情報に基づき、読み取るべき原稿が存在するか否かを判定する（Ｓ８０１）。読み取るべき原稿が存在すれば、スキャナ１０２から次の原稿の画像データが入力されるのを待つ（Ｓ８０２）。
【００３９】
スキャナ１０２から次の原稿の画像データが入力されると、ＯＣＲ処理部１０３は、画像データから頁番号を示す文字列を認識しかつ抽出し（Ｓ８０３）、抽出した頁番号を示す文字列を頁番号保持部１１０に格納する（Ｓ８０４）。その後、処理はステップ８０１へ戻り、読み取るべき原稿がなくなるまでステップＳ８０１からＳ８０４が繰り返される。
【００４０】
読み取るべき原稿が存在しなくなると、欠落判定部１１１は、頁番号保持部１１０に保持された頁番号列を基に、頁順の不具合や頁抜けなどを判定する（Ｓ８０５）。そして、不具合がなければ音声合成部１０６は「原稿の頁に不具合はありません」などのメッセージを生成し（Ｓ８０６）、音声合成部１０６はそのメッセージを出力する（Ｓ８０７）。また、不具合があれば音声合成部１０６は例えば「四頁と五頁の順番が逆です」「六頁が抜けています」などのメッセージを生成し（Ｓ８０６）、音声合成部１０６はそのメッセージを出力する（Ｓ８０７）。
【００４１】
この音声出力を聞いたユーザは、コピーを実行するか否かを決定し、その決定を入力処理部１０９を介して入力する。コピーの実行が指示されると（Ｓ８０８）、コピー機に原稿のコピーを実行させ（Ｓ８０９）、処理を終了する。一方、コピーの非実行が指示されると（Ｓ２０７）、コピー機に原稿のコピーを実行させずに、処理を終了する。
【００４２】
なお、頁番号を読み取る際にステップ８０２で入力される原稿の画像データをメモリに蓄積しておき、ステップＳ８０８でコピーの実行が指示された場合に、メモリに蓄積した画像データをコピー処理部１０８に渡してコピーを実行させることもできる。
【００４３】
このように、原稿画像を読み取った画像データから頁番号を認識し、認識された頁番号に基づき、原稿の並び順（頁順）や頁の欠落を判定して、その判定結果を音声合成によって読み上げることで、ユーザは、コピーの実行に先立ち、原稿の並び順や頁の欠落を容易に確認することができる。
【００４４】
【第３実施形態】
以下、本発明にかかる第３実施形態の情報処理装置を説明する。なお、第３実施形態において、第１、第２実施形態と略同様の構成については、同一符号を付して、その詳細説明を省略する。
【００４５】
上記の実施形態では、スキャン内容を通知する情報処理装置をコピー機に実装（または連結）する例を説明したが、情報処理装置の実装（または連結）先はファクシミリ装置や複合機など、任意の機器で構わない。また、例えばスキャナに実施形態の情報処理装置を実装（または連結）してもよく、その場合、読み取ろうとする原稿の内容をユーザが確認することができ、例えばドキュメント管理ツールに登録される情報と、原稿から読み取ったデータとの整合性の維持に貢献する。
【００４６】
図９はスキャン内容を通知する情報処理装置をファクシミリ装置に実装した例を示すブロック図で、図１に示すコピー処理部１０８の代りに、ファクシミリ通信を行うＦＡＸ処理部１１２を有する。
【００４７】
図１０は情報処理装置が実行するスキャン内容の通知処理の一例を示すフローチャートで、例えば、フィーダ１０１によって原稿のフィードが開始されると実行される処理である。
【００４８】
図２に示す手順では、ステップＳ２０７でコピーを実行するか否かを判定し、コピーの実行が指示された場合にステップＳ２０８でコピーを実行するが、図１０に示す手順では、ステップＳ２０９でファクシミリ送信を実行するか否かを判定し、ファクシミリ送信の実行が指示された場合にステップＳ２１０でファクシミリ送信を実行する点である。
【００４９】
このように、原稿画像を読み取った画像データから文字を認識し、認識された文字列から原稿の内容を特定可能な文字列を選択し、選択した文字列を音声合成によって読み上げることにより、ユーザは、ファクシミリ送信の実行に先立ち、原稿の内容を容易に確認することができる。
【００５０】
勿論、読み上げる文字列はタイトルに限定されず、原稿の全文を読み上げてもよいし、各頁の開始部分の数行または一部を読み上げてもよい。この場合、文字列選択部１０５は、横書き縦書きの別など、文字列情報保持部１０４に保持された情報を利用して、最初の一行または数行（タイトルを除いても含めてもよい）を選択する。
【００５１】
また、頁番号だけを読み上げても、頁の過不足を確認することができる。この場合、文字列選択部１０５は、位置情報、文字サイズ情報、文字列の種類（数字か否か）など、文字列情報保持部１０４に保持された情報を利用して、原稿画像の端部に位置する数字を選択する。
【００５２】
また、上記では、原稿ごとにファクシミリ送信するか否かをユーザに確認する例を説明したが、原稿を一枚ずつプレスキャンして特定部分を読み上げ、すべての原稿に対するプレスキャンおよび読み上げが終了した後、すべての原稿をファクシミリ送信するか否かをユーザに確認してもよく、この方が、ファクシミリ装置には好ましい。
【００５３】
【第４実施形態】
以下、本発明にかかる第４実施形態の情報処理装置を説明する。なお、第４実施形態において、第１から第３実施形態と略同様の構成については、同一符号を付して、その詳細説明を省略する。
【００５４】
ファクシミリ送信する原稿の一頁目はファクシミリヘッダに利用されることが多く、例えば「表紙を含めて八枚を送信します」などと記述されている場合も多い。従って、この原稿の枚数を示す情報を認識して、原稿の実際の枚数とを比較して違いがあれば、ユーザに音声合成によりメッセージを伝えることも可能である。
【００５５】
図１１はスキャン内容を通知する情報処理装置の構成例を示すブロック図で、図９に示す構成に比べて、欠落判定部１１１、枚数情報保持部１１３およびカウンタ１１４が追加されている。
【００５６】
枚数情報保持部１１３は、ファクシミリ送信すべき原稿の一枚目に記載された原稿の枚数を示す情報を認識した結果を保持する。カウンタ１１４は、フィーダ１０１が原稿を一枚ずつフィードする度にカウントアップする。なお、枚数情報保持部１１３は例えばＲＡＭなどの半導体メモリで構成され、カウンタ１１４は、カウンタＩＣ、または、ＲＡＭをワークメモリとしてＲＯＭなどに格納されたプログラムを実行するＣＰＵによって実現される。
【００５７】
図１２は情報処理装置が実行するスキャン内容の通知処理の一例を示すフローチャートで、例えば、フィーダ１０１によって原稿のフィードが開始されると実行される処理である。
【００５８】
まず、カウンタ１１４のカウント値をゼロにリセットする（Ｓ１２０１）。次に、フィーダ１０１から得られる未フィードの原稿があるか否かを示す情報に基づき、読み取るべき原稿が存在するか否か（Ｓ１２０２）、読み取るべき原稿が一枚目か否か（Ｓ１２０３）を判定する。読み取るべき原稿（一枚目）が存在すれば、スキャナ１０２から次の原稿の画像データが入力されるのを待つ（Ｓ１２０４）。
【００５９】
スキャナ１０２から次の原稿の画像データが入力されると、ＯＣＲ処理部１０３は、画像データから枚数情報を示す文字列を認識し（Ｓ１２０５）、その枚数情報を枚数情報保持部１１３に格納する（Ｓ１２０６）。そして、カウンタ１１４をカウントアップし（Ｓ１２０７）、処理はステップＳ１２０２へ戻る。また、ステップＳ１２０３で一枚目以外の原稿と判定された場合は、ステップＳ１２０７へ進んでカウンタ１１４をカウントアップする。従って、原稿がなくなるまでステップＳ１２０２、Ｓ１２０３およびＳ１２０７が繰り返され、カウンタ２１１のカウント値は、実際の原稿の枚数を示すことになる。
【００６０】
読み取るべき原稿が存在しなくなると、欠落判定部１１１は、枚数情報保持部１１３に保持された例えば「表紙を含めて八枚」などの文字列から文字列選択部１０５が選択した枚数情報（例えば８）と、カウンタ１１４のカウント値に基づき、原稿の一枚目に記載された枚数と、実際の原稿の枚数とが一致するか否かを判定する（Ｓ１２０８）。そして、一致する場合、音声合成部１０６は「原稿は八枚すべて揃っています」などのメッセージを生成し（Ｓ１２０９）、音声合成部１０６はそのメッセージを出力する（Ｓ１２１０）。また、一致しなければ、音声合成部１０６は例えば「ファクシミリヘッダに記載された枚数と、実際に枚数が一致しません」または「ファクシミリヘッダに記載された枚数よりも、実際の枚数が多い（少ない）です」など、原稿の欠落または余剰を示すメッセージを生成し（Ｓ１２０９）、音声合成部１０６はそのメッセージを出力する（Ｓ１２１０）。なお、
【００６１】
枚数情報保持部１１３に保持された文字列から得られる枚数情報と、カウンタ１１４のカウント値との差分を求めて、例えば「ファクシミリヘッダに記載された枚数よりも、実際の枚数が一枚多い（少ない）です」など、原稿の過不足数を示すメッセージを生成してもよい。
【００６２】
この音声出力を聞いたユーザは、ファクシミリ送信を実行するか否かを決定し、その決定を入力処理部１０９を介して入力する。ファクシミリ送信の実行が指示されると（Ｓ１２１１）、ファクシミリ装置に原稿のファクシミリ送信を実行させ（Ｓ１２１２）、処理を終了する。一方、ファクシミリ送信の非実行が指示されると（Ｓ１２１１）、ファクシミリ装置に原稿のファクシミリ送信を実行させずに、処理を終了する。
【００６３】
なお、原稿の枚数をカウントする際に原稿の画像データをメモリに蓄積しておき、ステップＳ１２１１でコピーの実行が指示された場合に、メモリに蓄積した画像データをＦＡＸ処理部１１１２に渡してファクシミリ送信を実行させることもできる。
【００６４】
なお、上述した実施形態の各構成を、一つの装置にまとめた例を説明したが、ネットワーク上に分散したコンピュータ機器や処理装置を連動させることで、上記の処理を実行することもできる。
【００６５】
また、上記の実施形態においては、フィーダ１０１が存在する例を説明したが、フィーダ１０１がなく、原稿が複数枚の場合は、ユーザが原稿を一枚ずつスキャナ１０２に供給し、原稿がなくなると、原稿が無くなったことを示す情報を入力処理部１０９へ入力すればよい。
【００６６】
【他の実施形態】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００６７】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６８】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６９】
本発明を上記記憶媒体に適用する場合、その記憶媒体には、先に説明したフローチャートに対応するプログラムコードが格納されることになる。
【００７０】
【発明の効果】
以上説明したように、本発明によれば、原稿の内容を表す情報を音声出力することができる。
【００７１】
また、原稿の頁数または枚数を示す情報を音声出力することができる。
【図面の簡単な説明】
【図１】スキャン内容を通知する情報処理装置の構成例を示すブロック図、
【図２】スキャン内容の通知処理の一例を示すフローチャート、
【図３】タイトルの読み上げを説明する図、
【図４】タイトルの読み上げを説明する図、
【図５】頁番号を読み上げる場合の文字列の選択結果および読み上げ例を示す図、
【図６】スキャン内容の通知処理の一例を示すフローチャート、
【図７】スキャン内容を通知する情報処理装置の構成例を示すブロック図、
【図８】スキャン内容の通知処理の一例を示すフローチャート、
【図９】スキャン内容を通知する情報処理装置をファクシミリ装置に実装した例を示すブロック図、
【図１０】スキャン内容の通知処理の一例を示すフローチャート、
【図１１】スキャン内容を通知する情報処理装置の構成例を示すブロック図、
【図１２】スキャン内容の通知処理の一例を示すフローチャートである。
【図１】
2004070523.tif 000003
【図２】
2004070523.tif 000004
【図３】
2004070523.tif 000005
【図４】
2004070523.tif 000006
【図５】
2004070523.tif 000007
【図６】
2004070523.tif 000008
【図７】
2004070523.tif 000009
【図８】
2004070523.tif 000010
【図９】
2004070523.tif 000011
【図１０】
2004070523.tif 000012
【図１１】
2004070523.tif 000013
【図１２】
2004070523.tif 000014